(57)【特許請求の範囲】
【請求項１】
手袋本体の親指部、人差し指部、中指部の先端部にカップ部がそれぞれ設けられ、そのカップ部はストレッチ素材で波形に形成されている上面下端部が前記手袋本体の親指部、人差し指部、中指部の先端部における第１関節部よりやや下位で切除された切除部にそれぞれ縫着され、ほぼ円弧状にカットされた下面下端部が前記切除部に外側から嵌合して被覆するように構成され、
前記手袋本体は中綿入りであるが、前記親指部の第１関節部と他指部の第２関節部には中綿を入れずに、波形に形成されたストレッチ素材がそれぞれ用いられ、甲部も中綿を入れずにストレッチ素材が用いられており、
前記手袋本体の甲部にはウレタン入りの補強パットが設けられ、その補強パットは上端部を前記他指部の第２関節部におけるストレッチ素材の下端部に縫着し、中間部から下端部にかけては前記甲部におけるストレッチ素材の上に位置させて両側部を縫着することにより、甲部のストレッチ素材との間に隙間が生じるようにしてブリッジ型に取り付けられ、この補強パットにより前記甲部のストレッチ素材のほぼ上半分を被覆するように構成されていることを特徴とする手袋。
【発明の詳細な説明】
【０００１】
【発明の属する技術分野】
本発明は、特にオートバイ等の二輪車のライダーに適した手袋に関する。
【０００２】
【従来の技術】
オートバイ等の二輪車のライダーは、手を保護するために手袋を嵌めて走行するのが一般的である。手袋を嵌めると手の感覚が鈍くなり、指先の自由も利かなくなるため小物の取り扱いがし難くなる。高速道路の料金所等でチケットやコイン等をやり取りする際、一々手袋を外さなければならなくなる。このような不便さを解消するために、手袋の指先部をカットし指先が露出するようにした手袋が従来知られている。
又、冬期においては防寒用の手袋を着用するが、この防寒用の手袋は保温機能を高めるために内側に起毛を付けたり中綿を入れたりして、分厚く大型形状となっているのが大部分である。
【０００３】
【発明が解決しようとする課題】
前記従来の指先カットタイプの手袋によると、指先部分が常に露出しているので手袋を外さなくても小物の取り扱いが容易にできるが、手指の保護機能は著しく劣り、転倒時に手指の骨折等の大怪我をすることがあって危険である。又、防寒用の手袋は、確かに保温機能の点では優れているが、手指の動きが阻害されるため走行時のハンドル操作性が低下し、安全性を充分に確保することが困難になる。
【０００４】
本発明は、このような従来の手袋の問題点を解決するためになされ、手指の保護機能を低下することなく、手袋を嵌めたままで小物の取り扱いが容易にでき、転倒時に手指の骨折等大怪我を防止することができ、防寒用の手袋であっても手指の動きを阻害しないようにした手袋を提供することを目的とする。
【０００５】
【課題を解決するための手段】
前記の目的を達成するための手段として、本発明は、手袋本体の親指部、人差し指部、中指部の先端部にカップ部がそれぞれ設けられ、そのカップ部はストレッチ素材で波形に形成されている上面下端部が前記手袋本体の親指部、人差し指部、中指部の先端部における第１関節部よりやや下位で切除された切除部にそれぞれ縫着され、ほぼ円弧状にカットされた下面下端部が前記切除部に外側から嵌合して被覆するように構成され、
前記手袋本体は中綿入りであるが、前記親指部の第１関節部と他指部の第２関節部には中綿を入れずに、波形に形成されたストレッチ素材がそれぞれ用いられ、甲部も中綿を入れずにストレッチ素材が用いられており、
前記手袋本体の甲部にはウレタン入りの補強パットが設けられ、その補強パットは上端部を前記他指部の第２関節部におけるストレッチ素材の下端部に縫着し、中間部から下端部にかけては前記甲部におけるストレッチ素材の上に位置させて両側部を縫着することにより、甲部のストレッチ素材との間に隙間が生じるようにしてブリッジ型に取り付けられ、この補強パットにより前記甲部のストレッチ素材のほぼ上半分を被覆するように構成されていることを特徴とする手袋を要旨とするものである。
【０００６】
【発明の実施の形態】
以下、本発明の実施の形態を添付図面に基づいて詳説する。
図１は、本発明に係る手袋Ａの実施形態を示すもので、手袋本体１は例えばウォッシャブルレザーで形成し、その親指部１ａ、人差し指部１ｂ、中指部１ｃの先端部には開閉自在のカップ部２、３、４をそれぞれ設けてある。
【０００７】
カップ部２、３、４は、アラミド素材又は伸縮し難く付加価値の高い素材で形成し、これらは同じ構成であるから人差し指のカップ部３を取り上げて詳しく説明すると、図２（イ）  のように人差し指部１ｂの先端部は第１関節部よりやや下位で切除され、その切除部１ｄにカップ部３の上面下端部３ａが縫着され、ほぼ円弧状にカットされた下面下端部３ｂが切除部１ｄに外側から嵌合して被覆するようにしてある。前記カップ部３の上面下端部３ａは、ストレッチ素材５で波形に形成されている。
【０００８】
このように構成された手袋は、常時は手指全てが各指部内に収容されていて露出しないので、転倒したとしても手指を充分保護することができ、必要時には手袋を嵌めたままでコイン等の小物を容易に取り扱うことができる。
【０００９】
即ち、図２（ロ）  のように前記カップ部２、３、４をそれぞれ上に捲れば、親指６、人差し指７、中指８の第１関節部より前方部をそれぞれ露出させることができ、これらの指先によってコイン等の小物９を確実に掴むことができる。
従って、高速道路の料金所等でチケットや料金のやり取りが手袋を嵌めたままで簡単にでき、自販機でタバコや飲み物を買う場合等にも便利である。
【００１０】
外したカップ部２、３、４は、それらの中に各指先を嵌めれば容易に元に戻すことができ、前記のように各カップ部は指部の切除部にそれぞれ重合状態で被さるので手指の動作時に開くことはない。又、各カップ部の上面下端部はストレッチ素材で形成されているため、カップ部の開閉がし易いと共に、各指の第１関節部が動き易くなる。カップ部はアラミド繊維等で形成されているため、摩擦にも強く耐久性に優れている。
【００１１】
図３は、本発明に係る防寒用手袋Ｂであり、手袋本体１１は例えばアラミド繊維で形成されて中綿入りとなっているが、親指部の第１関節部と他指部の第２関節部には中綿を入れずに、波形に形成されたストレッチ素材１２がそれぞれ用いられ、甲部も中綿を入れずにストレッチ素材１３が用いられている。
【００１２】
１４はウレタン入りの補強パットであり、その上端部は前記ストレッチ素材１２の下端部に位置させて縫着し、中間部から下端部にかけては前記甲部のストレッチ素材１３の上に位置させて両側部を縫着し、ストレッチ素材１３との間に適宜の隙間Ｓが生じるようにしてある。即ち、補強パット１４はブリッジ型に取り付けられてストレッチ素材１３のほぼ上半部を被覆している。このブリッジ型の部分は波形に形成しても良い。
【００１３】
手袋本体１１の手首部の脇には、開き角度の大きい二つ折りのマチ１５を設けると共に、固定用の帯状カバー１６が設けられている。この帯状カバー１６は、先端部の内側に面ファスナー１７が取り付けられ、手袋本体１１側に取り付けられた面ファスナー１８に面接合して固定する。
【００１４】
このように構成された防寒用手袋Ｂは、図４のようにマチ１５を開くと手袋本体１１の手首部が大きく開口するので、防寒着の袖口（図略）が厚手のものであっても邪魔にならず簡単に嵌めることができる。手袋本体１１の手首部を防寒着の袖口に被せた後、図５のようにマチ１５を内側に折り込んで帯状カバー１６で固定する。この際、帯状カバー１６によって手首部の締め付け具合を調整することができる。尚、帯状カバー１６の固定手段は、図示は省略したが手袋本体１１側に取り付けた金具に通して反転させ、その先端部を面ファスナーで止めるようにしても良い。
【００１５】
この防寒用手袋Ｂにおいては、指関節部及び甲部分にストレッチ素材１２、１３が用いられ且つこれらの部分には中綿が入れられていないので、分厚い手袋でありながら手指の動きが円滑となり、ハンドル操作がし易く安全性を充分確保することができる。
【００１６】
又、転倒したとしても、特に怪我をし易い４指の付け根部分がウレタン入りの補強パット１４で補強されており、しかも衝撃が吸収若しくは緩和されるので、手指の骨折事故を防止することができる。この補強パット１４は、前記のようにブリッジ型に取り付けられてストレッチ素材１３との間に隙間Ｓが生じているので手の甲の動きを阻害しない。
尚、この防寒用手袋Ｂの場合も、親指部と人差し指部と中指部の先端部にカップ部１９を設けて実施することも可能である。
【００１７】
【発明の効果】
以上説明したように、本発明によれば、次のような優れた効果を奏することができる。
（イ）手袋本体の親指部、人差し指部、中指部の先端部に開閉自在のカップ部をそれぞれ設けたので、親指、人差し指、中指の第１関節部より前方部をそれぞれ露出させてコイン等の小物を確実に掴むことができる。このため、手袋本体を嵌めたままで小物の取り扱いが容易にできる。又、カップ部の上面下端部はストレッチ素材で形成されているため、カップ部の開閉がし易いと共に、親指、人差し指、中指の第１関節部が動き易くなる。
（ロ）中綿入りの分厚い手袋本体でありながら、親指部の第１関節部と他指部の第２関節部には中綿を入れずに、波形に形成されたストレッチ素材がそれぞれ用いられ、手袋本体の甲部も中綿を入れずにストレッチ素材が用いられているため、手指の動きが円滑となる。例えば、二輪車のライダーが使用した場合には、ハンドル操作がし易くなり安全性を充分確保することができる。
（ハ）二輪車のライダーが本発明の手袋を使用して転倒したとしても、特に怪我をし易い人差し指から小指までの４指の付け根部分に相当する箇所がウレタン入りの補強パットにより補強されているため、転倒時の衝撃が吸収若しくは緩和されて手指の骨折事故を防止することができる。又、この補強パットは手袋本体の甲部におけるストレッチ素材の上にブリッジ型に取り付けられて隙間が生じているため、手の甲の動きを阻害しない。
【図面の簡単な説明】
【図１】本発明に係る手袋の実施の形態を示す手のひら側の平面図である。
【図２】（イ）  は手袋の指先部の側面図、（ロ）  はカップ部を捲ってコイン等の小物を掴む状態を示す説明図である。
【図３】本発明に係る手袋の他の実施形態を示す斜視図である。
【図４】手首部のマチを開いた状態を示す手の甲部側の平面図である。
【図５】マチを内側に折り込んで帯状のカバーで固定した状態を示す断面図である。
【符号の説明】
１…手袋本体
２、３、４…カップ部
５…ストレッチ素材
６…親指
７…人差し指
８…中指
９…小物
１１…手袋本体
１２、１３…ストレッチ素材
１４…補強パット
１５…マチ
１６…帯状カバー
１７、１８…面ファスナー
１９…カップ部
【図１】
0003615385.tif 000002
【図２】
0003615385.tif 000003
【図３】
0003615385.tif 000004
【図４】
0003615385.tif 000005
【図５】
0003615385.tif 000006